(57)【要約】【課題】従来の壁紙は、熟練した者や専門の業者でないと、その貼付施工が困難であり、また、トリムと言われる部分的な加工も行い難いという問題点があった。本考案は、これらの問題点を解決し、ＤＩＹ感覚で誰でも容易に施工できる壁紙を提供しようとするものである。【解決手段】壁紙１の裏面にフックアンドループ式のメカニカルファスナーを構成した一方の接合面部材２を接着するか、あるいは壁紙１を構成した基材１ａ自体を、この接合面部材２で構成した。そして、この接合面部材２を壁面Ｗに取り付けられた他方の接合面部材３と接合させることにより、フック３ａとループ２ａの機械的な係合力を利用して、壁紙１を着脱可能に所望の位置に貼り付けられるようにした。【選択図】図１
0003120833.tif 000002
【実用新案登録請求の範囲】
【請求項１】
フックアンドループ式のメカニカルファスナーを構成した一方の接合面部材が、壁紙を構成した基材の裏面に接着され、この接合面部材が、壁面や天井面に接着固定された他方の接合面部材と接合されることにより、所望の位置に着脱可能に取り付けられるようになされたことを特徴とする壁紙。
【請求項２】
フックアンドループ式のメカニカルファスナーを構成した一方の接合面部材が、化粧紙を積層してなる壁紙の基材とされ、この基材の接合面が壁面や天井面に接着固定された他方の接合面部材と接合されることにより、所望の位置に着脱可能に取り付けられるようになされたことを特徴とする壁紙。
【考案の詳細な説明】
【技術分野】
【０００１】
本考案は、建築物の内壁面や天井面に貼り付けられる内装用の壁紙に関する。
【背景技術】
【０００２】
従来より、住居やオフィースなどの建築物の内壁面や天井面は、種々の模様や装飾が施された壁紙を貼着することにより、その表面を仕上げるということが行われていた。
【０００３】
ここにおいて、一般にこの種の壁紙は、不燃紙などの基材の表面に、絵柄や模様が施された化粧紙を積層させた構成になっており、基材の裏面には、水溶性の糊が予め塗布されていた。そして、施工の際には、まず裏面の糊を水で膨潤させることにより、接着力を生じさせ、この状態で壁や天井などの下地の所定位置に貼り付けるようにしていた。
【０００４】
また、この他に壁紙裏面の端縁部分に粘着面を設けておき、この粘着面を覆った剥離紙を剥がして貼り付けるようにしたもの（例えば、特許文献１参照）や、片面に水溶性接着剤層が設けられた両面テープを用いて、壁紙などの表装材の端縁部分を、壁下地に貼り付けるようにしたもの（例えば、特許文献２参照）もあった。。
【０００５】
また、壁紙で構成された壁面の所望の位置に、帯状に模様の異なる壁紙を配置し、デザイン上のアクセントを与えるようにした所謂トリムと称される加工は、ベースとなる壁紙の上から帯状に異なる壁紙を重ね合わせ、貼り付けるということも可能であるが、この場合、重ねた箇所が外部に露呈するため体裁が悪く、またベースとなる壁紙の表面に、エンボスなどの凹凸があったり、あるいは防汚性を考慮した処理が施されていたりすると、接着が困難なため、一般には、帯状にベースの壁紙を切除し、ここに別の帯状の壁紙をはめ込んで貼り付けるということが行われていた。
【特許文献１】特公平８−２６６３１号公報（第２頁、図２）
【特許文献２】特開平１１−２１０３３６号公報（第３頁、図７）
【考案の開示】
【考案が解決しようとする課題】
【０００６】
上述した従来の一般的な壁紙は、水で膨潤させた糊で壁や天井などの下地に貼り付けられるようになっていたので、作業を正確かつ迅速に行わないと、糊が乾き、壁紙が位置ずれした状態で貼り付いてしまうおそれがあった。また、貼り付け作業の際には、下地との間に閉じ込められた空気を追い出す空気抜きという作業も行わなくてはならなかった。そのため、作業に熟練を要し、かつ、施工作業能率も悪いという問題点があった。また、このように壁紙の裏面を全面的に下地に貼り付けるようにしたものは、トリムを設ける際、その貼り付け位置の壁紙を部分的に剥がす事が困難であり、その施工に手間と時間を要するという問題点もあった。
【０００７】
また、端縁部分に粘着面を設けたものや、両面テープを用いて壁紙を貼り付けるようにしたものは、壁紙の周辺部分を部分的に接着するため、比較的作業は行い易いが、部分的な接着のため、表面に皺や弛みを生じ易く、また、位置合わせのために貼り直すと、接着力が低下し、剥がれ易くなるという問題点を有していた。
【０００８】
本考案は、上記従来の壁紙が有していた問題点の解決を課題とする。
【課題を解決するための手段】
【０００９】
上記の問題点を解決するために、本考案のうち、請求項１記載の考案は、フックアンドループ式のメカニカルファスナーを構成した一方の接合面部材を、壁紙を構成した基材の裏面に接着し、この接合面部材が壁面や天井面に接着固定された他方の接合面部材と接合することにより、壁紙が所望の位置に着脱可能に取り付けられるようにしたことを特徴とするものである。
【００１０】
また、請求項２記載の考案は、フックアンドループ式のメカニカルファスナーを構成した一方の接合面部材を、化粧紙を積層してなる壁紙の基材とし、この基材の接合面が、壁面や天井面に接着固定された他方の接合面部材と接合することにより、壁紙が所望の位置に着脱可能に取り付けられるようにしたことを特徴とするものである。
【考案の効果】
【００１１】
本考案のうち、請求項１記載の考案では、壁紙の裏面にフックアンドループ式のメカニカルファスナーを構成した一方の接合面部材を接着し、この接合面部材を天井や壁面に取り付けられた他方の接合面部材と接合させることとしているので、従来の壁紙をそのまま利用することができる。よって、製造設備の変更も不要であり、コスト低廉に壁紙を着脱可能なものとすることができる。また、このように壁紙をメカニカルファスナーで取り付けるようにしているので、取付位置の変更や微調整が可能であり、従来の全面的に糊付けするもののように、作業に熟練を要さず、誰でも容易に作業が行え、かつ、その作業能率も向上する。さらに、トリムの施工に際しても、壁紙を部分的に切除することが容易で、下地に壁紙の一部が破れて残るということもないので、能率良く、綺麗に仕上げることが可能になる。
【００１２】
請求項２記載の考案では、壁紙の基材を、フックアンドループ式のメカニカルファスナーを構成した一方の接合面部材とし、この接合面部材を天井や壁面に取り付けられた他方の接合面部材と接合させることとしているので、糊付けなどの作業を要することなく、能率良く、壁紙を所望の位置に取り付けることができる。よって、作業に熟練を要さず、誰でも容易に施工が行え、かつ、取付位置にずれが生じたとしても接合面部材を係脱させることにより容易にその位置の修正が行える。また、このように一旦取り付けた壁紙の位置を変更してもその接合強度が低下することはなく、壁紙も破れるおそれがない。さらに、トリムの施工に際しても、壁紙を部分的に切除することが容易であり、その際、下地に壁紙の基材が破れて残ることもないので、能率良く、かつ、綺麗に仕上げることが可能になるものである。
【考案を実施するための最良の形態】
【００１３】
以下、本考案を図示した実施の形態に基づき詳細に説明する。
【００１４】
図１は、本考案の壁紙を壁面に貼り付ける途中の状態を示した要部拡大説明図である。また、図２は、この壁紙の裏面図である。図示したように、本考案の壁紙１の基本的な構成は、従来のものと同様に、不燃紙などの基材１ａの表面に、絵柄や模様が施された化粧紙１ｂを積層させたものである。
【００１５】
ここにおいて本考案の壁紙１では、基材１ａの裏面に水溶性の糊を塗布する代わりに、その所定位置に、メカニカルファスナーと称せられる接合面部材２を接着して設けている。このメカニカルファスナーは、図３に示したループと呼ばれる接合面部材２と、図４に示したフックと呼ばれる接合面部材３とで構成されており、両者を向き合わせた状態で圧接させれば、図１に示すように、その表面に設けられたフック３ａとループ２ａが互いに絡み合い、容易に外れない程度の係合力を発揮して一体的に接合するようになっている。
【００１６】
なお、上記ループと言われる接合面部材２としては、例えば、住友スリーエム株式会社製のＮＣ−２８４１（商品型番）が好適に使用される。このＮＣ−２８４１と称せられる接合面部材２は、ポリエステル系ファブリックにＰＥＴフィルムをラミネートし、０．５ｍｍ程度の厚さに形成されたものであり、その裏面には、図３に示すように接着用の粘着剤層４が剥離紙５で覆われて設けられている。
【００１７】
また、この接合面部材２と対で使用されるフック側の接合面部材３としては、同様に住友スリーエム株式会社製のＮＣ−２１４１（商品型番）が好適に使用される。このＮＣ−２１４１と称せられる接合面部材３は、ポリプロピレン主成分プラスチックで約０．４ｍｍの厚さに形成されたものである。そして、この接合面部材３の裏面にも上記ループ側の接合面部材２と同様に、図４に示したように、接着用の粘着剤層６が剥離紙７で覆われて設けられている。
【００１８】
本考案の壁紙１では、上記フックまたはループの何れかの接合面部材２（ここではループ) を、その裏面に設けられた粘着剤層４を利用して、図２に示すように壁紙１裏面の適所に接着している。そして、この壁紙１を壁面などに貼り付けるには、まず壁面Ｗなどの下地の対応した箇所に、図１に示すように壁紙１の接合面部材２と対をなす他方の接合面部材３（ここではフック）を、その裏面に設けられた粘着剤層６を利用して接着固定する。そして、この状態で壁紙１を壁面Ｗに押し付けると、その裏面に設けられた接合面部材２のループ２ａが、壁面Ｗの接合面部材３のフック３ａと図１に示すように絡み合い、壁紙１が壁面Ｗに落下不可に係止保持されるものである。その後、必要に応じて壁紙１のはみ出した箇所を、従来のものと同様に切除すれば良く、このようにして本考案の壁紙１は、建物内部の壁面Ｗや天井面（図示せず）などの所望の位置に取り付けられるものである。
【００１９】
また、本考案の壁紙１は、上述したようにメカニカルファスナーで建物内の所望の位置に固定、保持されるようになっているので、面にかかる通常の外力では、剥がれたり、位置ずれすることはないが、端部から斜めに引き上げれば、壁紙を傷付けることなく、接合面部材２，３同士の係合を容易に外すことができ、このようにしてその取付位置の変更や微調整、あるいは、壁紙１を弛みを生じないように緊張させて固定することが容易に行える。また、このように壁紙１の着脱を繰り返しても、その接合強度が低下するおそれはなく、しかも糊の乾燥などを気にすることなく、いつでも壁紙１の取付位置からの着脱が行えるので、壁紙１の張替えなども容易になり、しかも作業に熟練した技術を要さないので、誰でも容易かつ能率的に作業が行えることとなる。
【００２０】
さらにまた、本考案の壁紙１では、図５に示したようにトリムと称される帯状に模様の異なる箇所を形成する際にも、壁紙１の表面をカッターなどで切ることにより、図６に示したように容易にトリムを設ける箇所の壁紙１のみを切除することができ、その後、この切除した箇所に現れた接合面部材３を利用し、あるいは新たに、ここに接合面部材３を貼り付けた後、帯状のトリム壁紙８（ボーダー）を上記壁紙１と同様に、その裏面に設けられた接合面部材２を上記接合面部材３と係合させて取り付けることにより、作業が完了する。
【００２１】
このように本考案の壁紙１では、トリムなどの形成に際して部分的に壁紙１を除去することが容易であり、しかも壁紙１を剥がした後、壁面Ｗに破れた壁紙が残ることもないので、その除去作業も不要であり、能率的、かつ体裁良く、その施工が行える。
【００２２】
本考案の壁紙１は、上記のようにして取付施工されるものである。
【００２３】
なお、上記ではフック３ａが係合する他方の接合面部材２として、表面にループ２ａが設けられたものを例示したが、この接合面部材２は必ずしも専用のものでなくても良く、例えばニードルパンチフェルトをループ側の接合面部材として、代用することとしても良い。
【００２４】
また、図示した実施の形態では、壁紙１にループ側の接合面部材２を取り付けた例を示したが、本考案の壁紙は、フックアンドループ式のメカニカルファスナーを利用して取り付けられるようになっていれば良く、壁紙１には、フックあるいループの何れの側の接合面部材が取り付けられていても良い。また、その取付位置や大きさなども任意である。
【００２５】
さらにまた、図示した実施の形態では、従来の壁紙をそのまま利用することを考え、壁紙１の裏面に接合面部材２を接着固定した例を示したが、新たに製造する場合は、壁紙１の基材１ａ自体をこの接合面部材２（または３）で構成しても良く、その場合は、裏面の何れの箇所でも他方側（壁側）の接合面部材３（または２）と係合可能なので、その位置合わせが不要になり、取付側の制約を受けなくなる。よって、施工が一層容易となり、望ましい。
【図面の簡単な説明】
【００２６】
【図１】本考案に係る壁紙の施工状態を示した要部拡大説明図である。
【図２】図１に示した壁紙の裏面図である。
【図３】一方の接合面部材の構造を示した拡大側面図である。
【図４】他方の接合面部材の構造を示した拡大側面図である。
【図５】トリムの一例を示した壁面の斜視図である。
【図６】トリムの施工説明図である。
【符号の説明】
【００２７】
１  壁紙
１ａ  基材
１ｂ  化粧紙
２，３  接合面部材
２ａ  ループ
３ａ  フック
４，６  粘着剤層
５，７  剥離紙
８  トリム壁紙
【図１】
0003120833.tif 000003
【図２】
0003120833.tif 000004
【図３】
0003120833.tif 000005
【図４】
0003120833.tif 000006
【図５】
0003120833.tif 000007
【図６】
0003120833.tif 000008